(57)【要約】【課題】アンテナ接点部及びアンテナ端子部の間の導通を確実にする。【解決手段】内側表面にアンテナパターン４２が設けられ、内側底面にアンテナパターン４２に接続されたアンテナ接点部Ｃが設けられた第１の筐体４１と、第１の筐体４１の内側に嵌合するように設けられ、アンテナ接点部Ｃに対応する位置にアンテナ端子部３６が露出するように配置された第２の筐体４３とを備えた携帯端末５０であって、アンテナ接点部Ｃは、第１の筐体４１の内側底面に直立するように形成された突出壁の側面に設けられ、アンテナ端子部３６は、アンテナ接点部Ｃに弾性変形した状態で接触するように設けられている。【選択図】図２
2014050011.tif 000002
【特許請求の範囲】
【請求項１】
内側表面にアンテナパターンが設けられ、内側底面に該アンテナパターンに接続されたアンテナ接点部が設けられた第１の筐体と、
上記第１の筐体の内側に嵌合するように設けられ、上記アンテナ接点部に対応する位置にアンテナ端子部が露出するように配置された第２の筐体とを備えた携帯端末であって、
上記アンテナ接点部は、上記第１の筐体の内側底面に直立するように形成された突出壁の側面に設けられ、
上記アンテナ端子部は、上記アンテナ接点部に弾性変形した状態で接触するように設けられていることを特徴とする携帯端末。
【請求項２】
請求項１に記載された携帯端末において、
上記アンテナ端子部は、上記第２の筐体に収容された回路基板の表面に取り付けられていることを特徴とする携帯端末。
【請求項３】
請求項２に記載された携帯端末において、
上記アンテナ端子部は、Ｃ字状の断面形状を有し、該断面形状における一方端が上記回路基板の表面に取り付けられ、該断面形状における他方端が上記回路基板の表面から離間していることを特徴とする携帯端末。
【請求項４】
請求項１〜３の何れか１つに記載された携帯端末において、
上記突出壁の頂部は、上記アンテナ接点部側が低くなるように面取りされていることを特徴とする携帯端末。
【請求項５】
請求項１〜４の何れか１つに記載された携帯端末において、
上記突出壁は、上記第１の筐体の内側底面に角筒状に形成された角筒体であり、
上記アンテナ接点部は、上記角筒体の内側側面に設けられていることを特徴とする携帯端末。
【請求項６】
請求項１〜４の何れか１つに記載された携帯端末において、
上記突出壁は、上記第１の筐体の内側底面に円筒状に形成された円筒体であり、
上記アンテナ接点部は、上記円筒体の内側側面に設けられていることを特徴とする携帯端末。
【請求項７】
請求項１〜４の何れか１つに記載された携帯端末において、
上記突出壁は、上記第１の筐体の内側底面に互いに対向するように一対設けられ、
上記アンテナ接点部は、上記一対の突出壁の対向する側面の一方に設けられていることを特徴とする携帯端末。
【請求項８】
請求項１〜７の何れか１つに記載された携帯端末において、
上記第１の筐体は、上記第２の筐体の外側に配置された電池を覆う蓋であることを特徴とする携帯端末。
【発明の詳細な説明】
【技術分野】
【０００１】
本発明は、携帯端末に関し、特に、筐体の内側表面にアンテナパターンが設けられた携帯端末に関するものである。
【背景技術】
【０００２】
携帯電話機などの携帯端末では、筐体の内部の省スペース化を図るために、筐体の内側表面にアンテナパターンが設けられた筐体一体型のアンテナ構造が提案されている。
【０００３】
例えば、特許文献１には、凹型断面を有する樹脂製の第１の成型体の内側に配置されたアンテナパターンに、第１の成型体の内側に嵌合するように設けられた凹型断面を有する樹脂製の第２の成型体の内部に配置する電源供給ユニットが給電点を介して接続された電子機器が開示されている。
【先行技術文献】
【特許文献】
【０００４】
【特許文献１】特開２００９−２１９３２号公報
【発明の概要】
【発明が解決しようとする課題】
【０００５】
ところで、第１の筐体の内側表面にアンテナパターン及びそのアンテナパターンに接続された凸状のアンテナ接点部がそれぞれ設けられ、第１の筐体の内側に嵌合する第２の筐体の外側表面にアンテナ端子部が設けられ、アンテナ接点部の頂面に対して垂直方向に働くアンテナ端子部の弾性復元力によって、アンテナ接点部の頂面にアンテナ端子部の表面が接触することにより、アンテナ接点部及びアンテナ端子部が互いに導通するように構成された筐体一体型のアンテナ構造では、例えば、第１の筐体、第２の筐体、アンテナ端子部が設けられた回路基板などに反りが発生すると、アンテナ接点部に対するアンテナ端子部の接触圧力が不足するおそれがある。そうなると、アンテナ接点部及びアンテナ端子部の間の導通の信頼性が低下してしまう。
【０００６】
本発明は、かかる点に鑑みてなされたものであり、その目的とするところは、アンテナ接点部及びアンテナ端子部の間の導通を確実にすることにある。
【課題を解決するための手段】
【０００７】
上記目的を達成するために、本発明は、第２の筐体に配置されたアンテナ端子部が第１の筐体の突出壁の側面に設けられたアンテナ接点部に弾性変形した状態で接触するようにしたものである。
【０００８】
具体的に本発明に係る携帯端末は、内側表面にアンテナパターンが設けられ、内側底面に該アンテナパターンに接続されたアンテナ接点部が設けられた第１の筐体と、上記第１の筐体の内側に嵌合するように設けられ、上記アンテナ接点部に対応する位置にアンテナ端子部が露出するように配置された第２の筐体とを備えた携帯端末であって、上記アンテナ接点部は、上記第１の筐体の内側底面に直立するように形成された突出壁の側面に設けられ、上記アンテナ端子部は、上記アンテナ接点部に弾性変形した状態で接触するように設けられていることを特徴とする。
【０００９】
上記アンテナ端子部は、上記第２の筐体に収容された回路基板の表面に取り付けられていてもよい。
【００１０】
上記アンテナ端子部は、Ｃ字状の断面形状を有し、該断面形状における一方端が上記回路基板の表面に取り付けられ、該断面形状における他方端が上記回路基板の表面から離間していてもよい。
【００１１】
上記突出壁の頂部は、上記アンテナ接点部側が低くなるように面取りされていてもよい。
【００１２】
上記突出壁は、上記第１の筐体の内側底面に角筒状に形成された角筒体であり、上記アンテナ接点部は、上記角筒体の内側側面に設けられていてもよい。
【００１３】
上記突出壁は、上記第１の筐体の内側底面に円筒状に形成された円筒体であり、上記アンテナ接点部は、上記円筒体の内側側面に設けられていてもよい。
【００１４】
上記突出壁は、上記第１の筐体の内側底面に互いに対向するように一対設けられ、上記アンテナ接点部は、上記一対の突出壁の対向する側面の一方に設けられていてもよい。
【００１５】
上記第１の筐体は、上記第２の筐体の外側に配置された電池を覆う蓋であってもよい。
【発明の効果】
【００１６】
本発明によれば、第２の筐体に配置されたアンテナ端子部が、第１の筐体の突出壁の側面に設けられたアンテナ接点部に弾性変形した状態で接触するようになっているので、アンテナ接点部及びアンテナ端子部の間の導通を確実にすることができる。
【図面の簡単な説明】
【００１７】
【図１】本発明の実施形態に係る携帯端末の斜視図である。
【図２】図１中のII−II線に沿った携帯端末の断面図である。
【図３】本発明の実施形態に係る携帯端末の分解した状態を示す断面図である。
【図４】図３中の領域Ａを拡大した断面図である。
【図５】本発明の実施形態に係る携帯端末を構成する第１の筐体の突出壁を示す斜視図である。
【図６】本発明の実施形態に係る携帯端末を構成する第１の筐体の突出壁の変形例１を示す斜視図である。
【図７】本発明の実施形態に係る携帯端末を構成する第１の筐体の突出壁の変形例２を示す斜視図である。
【図８】本発明の実施形態に係る携帯端末を構成する回路基板及びアンテナ端子部の断面図である。
【図９】本発明の実施形態に係る携帯端末の反った状態を示す断面図である。
【発明を実施するための形態】
【００１８】
以下、本発明の実施形態を図面に基づいて詳細に説明する。なお、本発明は、以下の実施形態に限定されるものではない。
【００１９】
図１〜図９は、本発明に係る携帯端末の１つの実施形態を示している。ここで、本実施形態では、携帯端末として、スマートフォンと呼ばれる携帯電話機を例示する。具体的に、図１は、本実施形態の携帯電話機５０の斜視図である。また、図２は、図１中のII−II線に沿った携帯電話機５０の断面図である。また、図３は、携帯電話機５０の分解した状態を示す断面図である。また、図４は、図３中の領域Ａを拡大した断面図である。また、図５は、携帯電話機５０を構成する電池蓋４３のリブＲａを示す斜視図である。また、図６及び図７は、電池蓋４３のリブＲａの変形例１のリブＲｂ及び変形例２のリブＲｃをそれぞれ示す斜視図である。また、図８は、携帯電話機５０を構成する回路基板３５及びアンテナ端子部３６の断面図である。また、図９は、携帯電話機５０の反った状態を示す断面図である。なお、図９では、反った状態を示す矢印を明確にするために、図２に図示された液晶表示パネル２０及びバックライトユニット３０を省略している。
【００２０】
携帯電話機５０は、図１〜図３に示すように、第１の筐体として電池パックＢを覆うように設けられた樹脂製の電池蓋４１と、電池蓋４１の内側に嵌合するように第２の筐体として設けられた樹脂製の後側キャビネット４３と、後側キャビネット４３の内側に嵌合するように設けられた樹脂製の前側キャビネット４４とを備えている。
【００２１】
電池蓋４１の内側底面には、図２〜図４に示すように、角筒状に形成された角筒体の突出壁として、リブＲａが直立するように設けられている。また、電池蓋４１の内側底面を含む内側表面には、図２〜図４に示すように、導電性を有するアンテナパターン４２が、例えば、印刷又はメッキにより設けられている。そして、アンテナパターン４２は、図２〜図５に示すように、リブＲａの内側側面に形成された部分が（アンテナパターン４２に接続された）アンテナ接点部Ｃになっている。さらに、リブＲａの頂部Ｔは、図２〜図５に示すように、アンテナ接点部Ｃ側が低くなるように面取りされている。また、電池蓋４１の内側側面には、図２及び図３に示すように、後側キャビネット４３の外側側面に嵌合する係合突起が設けられている。
【００２２】
なお、本実施形態では、電池蓋４１の内側底面に設けられた突出壁として、角筒状に形成されたリブＲａを例示したが、例えば、図６及び図７に示すように、他の形状のリブＲｂ及びＲｃであってもよい。
【００２３】
具体的には、図６に示すように、リブＲｂは、電池蓋４１の内側底面に直立するように円筒状に形成された円筒体である。そして、リブＲｂでは、図６に示すように、内側側面の一部がアンテナ接点部Ｃになっている。
【００２４】
また、図７に示すように、リブＲｃは、電池蓋４１の内側底面に直立した状態で互いに対向するように一対設けられている。そして、一対のリブＲｃでは、図７に示すように、互いに対向する側面の一方がアンテナ接点部Ｃになっている。なお、本変形例では、電池蓋４１の内側底面に設けられた突出壁として、一対のリブＲｃを例示したが、例えば、１つの側面にアンテナ接点部が設けられた直方体状の１つのリブであってもよい。
【００２５】
ここで、リブＲａ、Ｒｂ及びＲｃでは、（図５〜）図７に示すように、アンテナ接点部ＣがリブＲａ、Ｒｂ及びＲｃの内側の側面に設けられているので、アンテナ接点部Ｃに手Ｆが触れ難くなっている。
【００２６】
後側キャビネット４３の内部には、図２及び図３に示すように、回路基板３５が収容されている。また、後側キャビネット４３の底部には、図２及び図３に示すように、電池蓋４１のリブＲａに対応する位置に貫通孔が設けられ、その貫通孔の縁部が直立するように突出して、回路基板３５の中央部を支持している。さらに、後側キャビネット４３の内側底面には、図２及び図３に示すように、直立するように支持突起が設けられ、その支持突起が回路基板３５の端縁部を支持している。また、後側キャビネット４３の外側側面には、図２及び図３に示すように、電池蓋４１の係合突起に嵌合する係合溝が設けられている。
【００２７】
回路基板３５の表面には、図２、図３及び図８に示すように、金属製のアンテナ端子部３６が後側キャビネット４３の貫通孔を介して露出するように取り付けられている。
【００２８】
アンテナ端子部３６は、図２、図３及び図８に示すように、Ｃ字状（略Ｃ字状）の断面形状を有し、断面形状における一方端が回路基板３５の表面に取り付けられ、断面形状における他方端が回路基板３５の表面から離間するように設けられている。ここで、アンテナ端子部３６は、例えば、銅合金系のばね材料により形成され、外力が加わらない状態において、図３に示すように、回路基板３５の表面に取り付けられた部分が回路基板３５の表面に対して傾斜しており、電池蓋４１と嵌合して外力が加わった状態において、図２に示すように、回路基板３５の表面に取り付けられた部分が回路基板３５の表面に対して直立するように弾性変形するようになっている。また、アンテナ端子部３６は、図８に示すように、回路基板３５の表面から離間する断面形状における他方端が断面形状における一方端の回路基板３５の表面に固定された部分にストッパーとして接触することにより、過度の変形が抑制される。なお、図８において、図中の２点鎖線は、弾性変形する前のアンテナ端子部３６の一部の輪郭を示している。
【００２９】
前側キャビネット４４は、図２及び図３に示すように、その図中下部が後側キャビネット４３の内縁部に嵌合するように形成されている。また、前側キャビネット４４の内部には、図２及び図３に示すように、液晶表示パネル２０及びバックライトユニット３０が収容されている。また、前側キャビネット４４の前面には、図２及び図３に示すように、裏面にタッチパネル層が形成され、表面に表示画面Ｄ（図１参照）が配置されたカバーガラス１０が液晶表示パネル２０に積層するように設けられている。
【００３０】
上記構成の携帯電話機５０は、図９に示すように、電池蓋４１や回路基板３５が仮に反った状態になったとしても、アンテナ端子部３６の弾性変形が維持されることにより、アンテナ端子部３６の弾性復元力が電池蓋４１の内側底面に沿う方向、すなわち、図中横方向に働くので、アンテナ接点部Ｃに対するアンテナ端子部３６の接触圧力が維持されることになる。
【００３１】
以上説明したように、本実施形態の携帯電話機５０によれば、電池蓋４１の内側底面に配置するアンテナ接点部Ｃが、その内側底面に直立するように形成されたリブＲａの側面に設けられている。そして、電池蓋４１の内側に嵌合する後側キャビネット４３に配置するアンテナ端子部３６が、リブＲａの側面のアンテナ接点部Ｃに弾性変形した状態で接触するように設けられているので、アンテナ端子部３６の弾性復元力が（従来の筐体一体型のアンテナ構造のような電池蓋の内側底面に対して垂直方向でなく、）電池蓋４１の内側底面に沿う方向に働くことになる。これにより、電池蓋４１及び後側キャビネット４３の少なくとも一方に反りが仮に発生しても、アンテナ接点部Ｃに対するアンテナ端子部３６の接触圧力を維持することができるので、アンテナ接点部Ｃ及びアンテナ端子部３６の間の導通を確実にすることができる。
【００３２】
また、本実施形態の携帯電話機５０によれば、アンテナ端子部３６の弾性復元力が電池蓋４１の内側底面に沿う方向に働くことになるので、アンテナ端子部３６を平面視で小さく設計することができる。これにより、アンテナ端子部３６が手Ｆで触れ難くなるので、電池蓋４１を取り外した状態におけるアンテナ端子部３６の変形を抑制することができる。
【００３３】
また、本実施形態の携帯電話機５０によれば、アンテナ端子部３６が後側キャビネット４３に収容された回路基板３５の表面に取り付けられているので、仮に、回路基板３５に反りが発生しても、アンテナ接点部Ｃに対するアンテナ端子部３６の接触圧力を維持することができる。さらに、上記のように、アンテナ端子部３６を平面視で小さく設計することができることにより、アンテナ端子部３６の回路基板３５における面積占積率を抑制することができるので、回路基板３５及び後側キャビネット４３の設計自由度を高くすることができる。
【００３４】
また、本実施形態の携帯電話機５０によれば、アンテナ端子部３６のＣ字状の断面形状において、一方端が回路基板３５の表面に取り付けられ、他方端が回路基板３５の表面から離間しているので、電池蓋４１の内側に後側キャビネット４３を嵌合させる際に、又は電池蓋４１を外した状態で故意に、アンテナ端子部３６に過度の外力が仮に加わっても、断面形状における他方端が断面形状における一方端の回路基板３５の表面に固定された部分にストッパーとして接触して、アンテナ端子部３６の過度の変形を抑制することができ、アンテナ接点部Ｃ及びアンテナ端子部３６の間の確実な導通を維持することができる。
【００３５】
また、本実施形態の携帯電話機５０によれば、リブＲａのアンテナ接点部Ｃ側が低くなるようにリブＲａの頂部Ｔが面取りされているので、電池蓋４１の内側に後側キャビネット４３を嵌合させる際には、電池蓋４１の内側底面に形成されたリブＲａにアンテナ端子部３６が滑らかに接触して、リブＲａの側面のアンテナ接点部Ｃにアンテナ端子部３６を容易に接触させることができ、その結果、アンテナ端子部３６の過度の変形を抑制することができる。
【００３６】
また、本実施形態の携帯電話機５０によれば、リブＲａが電池蓋４１の内側底面に形成された角筒体の一部であり、アンテナ接点部Ｃが角筒体の内側側面に設けられているので、アンテナ接点部Ｃが手Ｆで触れ難くなり、アンテナ性能の劣化を抑制することができる。
【００３７】
なお、本実施形態では、携帯端末として、スマートフォンと呼ばれる携帯電話機を例示したが、本発明は、スマートフォン以外の携帯電話機、ＰＨＳ（Personal Handy-phone System）、ＰＤＡ(Personal Digital Assistant)、電子書籍端末、パソコン、モバイルツール、ゲーム機などにも適用することができる。
【００３８】
また、本実施形態では、液晶表示パネルが組み込まれた携帯電話機を例示したが、本発明は、有機ＥＬ（electroluminescence）パネルなどの他の表示パネルが組み込まれた携帯電話機や携帯端末にも適用することができる。
【産業上の利用可能性】
【００３９】
以上説明したように、本発明は、アンテナ接点部及びアンテナ端子部の間の導通を確実することができるので、通信機能を備えた携帯端末について有用である。
【符号の説明】
【００４０】
Ｂ      電池パック
Ｃ      アンテナ接点部
Ｒａ    リブ（突出壁、角筒体）
Ｒｂ    リブ（突出壁、円筒体）
Ｒｃ    リブ（突出壁）
Ｔ    （突出壁の）頂部
３５    回路基板
３６    アンテナ端子部
４１    電池蓋（第１の筐体）
４２    アンテナパターン
４３    後側キャビネット（第２の筐体）
５０    携帯電話機（携帯端末）
【図１】
2014050011.tif 000003
【図２】
2014050011.tif 000004
【図３】
2014050011.tif 000005
【図４】
2014050011.tif 000006
【図５】
2014050011.tif 000007
【図６】
2014050011.tif 000008
【図７】
2014050011.tif 000009
【図８】
2014050011.tif 000010
【図９】
2014050011.tif 000011